(57)【要約】【課題】従来よりも引出糸に癖が付き難く、台紙からの取外しを素早く容易に行うことができる手術用パッド組み付け体を提供する。【解決手段】外科手術において使用される引出糸３付のパッド２が台紙４に保持された手術用パッド組み付け体１であって、台紙４は１個以上の遊挿部（第１遊挿部７又は第２遊挿部８）を有し、引出糸３が遊挿部にのべ２回以上遊挿されることにより、パッド２が台紙４に保持されている。遊挿部には、少なくとも第１遊挿部７と第２遊挿部８とがあり、引出糸３が、第１遊挿部７に１回以上遊挿され、且つ第２遊挿部８に１回以上遊挿されていることが好ましい。【選択図】図６
2015077201.tif 000002
【特許請求の範囲】
【請求項１】
外科手術において使用される引出糸付のパッドが台紙に保持された手術用パッド組み付け体であって、
前記台紙は、１個以上の遊挿部を有し、
前記引出糸が、前記遊挿部に、のべ２回以上遊挿されることにより、前記パッドが前記台紙に保持されていることを特徴とする手術用パッド組み付け体。
【請求項２】
前記遊挿部は、第１遊挿部と第２遊挿部とを含み、
前記引出糸が、前記第１遊挿部に１回以上遊挿され、且つ前記第２遊挿部に１回以上遊挿されている請求項１に記載の手術用パッド組み付け体。
【請求項３】
前記引出糸が、前記パッドへの取り付け位置から出発して、前記第１遊挿部を挿通することにより、前記台紙の一方の面側から、他方の面側へ抜けており、
前記第１遊挿部を挿通した前記引出糸が、前記第２遊挿部を挿通することにより、前記他方の面側から、前記一方の面側へ抜けており、
前記引出糸が前記第１遊挿部を挿通する前後、及び前記第２遊挿部を挿通する前後において、該引出糸の進行方向の変動許容角が９０度以下である請求項２に記載の手術用パッド組み付け体。
【請求項４】
前記遊挿部は、
引出糸を遊挿させるだけの広さを持つ孔、又は、
引出糸を遊挿させるだけの広さを持ち台紙の外縁から続くスリットであるか、あるいは、
前記引出糸を遊挿させるだけの広さを持つ空間である遊挿空間部と、
前記台紙の外縁から前記遊挿空間部まで続く、引出糸引込み案内用の切れ目又は隙間であるスリット部とを有する請求項１〜３のいずれか１項に記載の手術用パッド組み付け体。
【請求項５】
前記台紙の外縁の一部に、前記引出糸が、前記台紙の一方の面側から他方の面側へ折り返されて、方向転換されている方向転換部を有し、
前記方向転換部において、前記台紙の外縁の一部に溝が設けられている請求項１〜４のいずれか１項に記載の手術用パッド組み付け体。
【請求項６】
前記パッドへの取り付け位置から前記方向転換部までの、前記引出糸の長さが５ｃｍ以上である請求項５に記載の手術用パッド組み付け体。
【請求項７】
請求項１〜６の手術用パッド組み付け体に用いられることを特徴とする台紙。
【発明の詳細な説明】
【技術分野】
【０００１】
本発明は、外科手術において使用される引出糸付のパッドが台紙に保持された手術用パッド組み付け体に関するものである。
【背景技術】
【０００２】
外科手術の際には、止血、吸液及び体組織の損傷を防ぐなどの目的で、不織布などからなるパッドが使用される。これらのパッドには、使用後に患者の体内から取り除く必要があり、取り出しやすいように引出糸が取り付けられている。
【０００３】
このような引出糸付きのパッドは、通常複数枚のパッド本体を台紙上に載置して、その台紙と共に包装されるが、その際保管中や搬送中に引出糸が傷んだり絡まったりしないように、引出糸が台紙に巻き付けられている。なお台紙は、厚紙やボール紙に孔を開けたり切込みを入れた紙製のものが一般的であるが、本明細書においては、合成樹脂、木、竹、鉱物、金属、ガラス、セラミック、炭素繊維などのあらゆる材質のものを含むこととする。
【０００４】
特許文献１には、手術用吸収シートを複数保持するための「手術用吸収シート台板」が開示されている。特許文献１の手術用吸収シート台板によれば、「表面部に複数の手術用吸収シートの各吸収シート本体を順次変位して並列に配設でき、その状態を保持できるので、配設された前記手術用吸収シートの数を容易に確認できる。」と記載されている。
【先行技術文献】
【特許文献】
【０００５】
【特許文献１】特開２０１０−９４２８６号公報
【発明の概要】
【発明が解決しようとする課題】
【０００６】
特許文献１の手術用吸収シート台板では、薄い板の切込に紐部材が引っ掛けられているので、引出糸に癖が付きやすい。引出糸に癖がついてしまうと、手術中に引出糸が嵩張って場所をとるため、施術の邪魔になるので、できるだけ癖を付けないことが望ましい。
【０００７】
また、特許文献１の手術用吸収シート台板１１では、複数の切込２４に紐部材１４を１個ずつ引っ掛け、配設した複数の吸収シート本体１３の上に紐部材１４をまとめて巻き付けているので（要約等参照）、手術用吸収シートを使用する際には、巻き付けてられている全ての紐部材１４を、巻き付けたときの手順と逆の手順で外さなければならない。手術の際には手術用吸収シートを１００〜２００枚程度を使用するので、特許文献１の台板から手術用吸収シートを取外して準備するのには結構な時間がかかる。また手術中に例えば急な出血が起こったときに、止血用に手術用吸収シートを追加しようとしても、特許文献１の台板から手術用吸収シートを迅速に取外すことができないので、止血の遅れに繋がり、出血量が増加して患者に負担がかかる。
【０００８】
本発明は以上のような従来の課題を考慮してなされたものであり、従来よりも引出糸に癖が付き難く、台紙から素早く容易に取り外すことができる手術用パッド組み付け体及び該手術用パッド組み付け体に用いられる台紙を提供することを目的とする。
【課題を解決するための手段】
【０００９】
本発明に係る手術用パッド組み付け体は、外科手術において使用される引出糸付のパッドが台紙に保持された手術用パッド組み付け体であって、台紙は、１個以上の遊挿部を有し、引出糸が、遊挿部に、のべ２回以上遊挿されることにより、パッドが台紙に保持されている。
本発明に係る台紙は、上記手術用パッド組み付け体に用いられる台紙である。
【００１０】
また手術用パッド組み付け体において、遊挿部は第１遊挿部と第２遊挿部とを含み、引出糸が、第１遊挿部に１回以上遊挿され、且つ第２遊挿部に１回以上遊挿されていることが好ましい。
【００１１】
また手術用パッド組み付け体において、引出糸がパッドへの取り付け位置から出発して第１遊挿部を挿通することにより、台紙の一方の面側から他方の面側へ抜けており、第１遊挿部を挿通した引出糸が、第２遊挿部を挿通することにより、他方の面側から、一方の面側へ抜けており、引出糸が第１遊挿部を挿通する前後、及び第２遊挿部を挿通する前後において、該引出糸の進行方向の変動許容角が９０度以下であることが好ましい。
【００１２】
また手術用パッド組み付け体において、遊挿部は、引出糸を遊挿させるだけの広さを持つ孔、又は、引出糸を遊挿させるだけの広さを持ち台紙の外縁から続くスリットであるか、あるいは、引出糸を遊挿させるだけの広さを持つ空間である遊挿空間部と、台紙の外縁から遊挿空間部まで続く、引出糸引込み案内用の切れ目又は隙間であるスリット部とを有することが好ましい。
【００１３】
また手術用パッド組み付け体において、台紙の外縁の一部に引出糸が台紙の一方の面側から他方の面側へ折り返されて方向転換されている方向転換部を有し、方向転換部において、台紙の外縁の一部に溝が設けられていることが好ましい。
【００１４】
また手術用パッド組み付け体において、パッドへの取り付け位置から方向転換部までの、引出糸の長さが５ｃｍ以上であることが好ましい。
本発明に係る手術用パッド組み付け体に用いられる台紙は、上記手術用パッド組み付け体に用いられることを特徴とする。
【発明の効果】
【００１５】
本発明に係る手術用パッド組み付け体、及び該手術用パッド組み付け体に用いられる台紙は、台紙に開いた１個の遊挿部に引出糸を２回以上遊挿するか、あるいは台紙に開いた２個以上の遊挿部に引出糸を遊挿することにより、パッドを台紙に保持するため、従来よりも引出糸に癖が付き難く、パッドを持って引っ張るだけで台紙から素早く容易に取外すことができる。
【図面の簡単な説明】
【００１６】
【図１】本発明に係る手術用パッド組み付け体を示す概略図である。
【図２】図１中の一点鎖線Ｚ−Ｚ断面図である。
【図３】変形例１のＺ−Ｚ断面図に相当する。
【図４】変形例２のＺ−Ｚ断面図に相当する。
【図５】変形例３のＺ−Ｚ断面図に相当する。
【図６】変形例４に係る手術用パッド組み付け体を示す概略図である。
【発明を実施するための形態】
【００１７】
以下、図面に示した実施形態に基づいて本発明を詳細に説明する。
図１は、本発明に係る手術用パッド組み付け体１を示す概略図である。
手術用パッド組み付け体１は、外科手術において使用される引出糸３付のパッド２が台紙４に保持されたものであり、引出糸３付きのパッド２が５個一組で、二組が1枚の台紙４に固定されている。なお、手術用パッド組み付け体１は樹脂フィルムなどの包装材（図示せず）にて密閉した後に、常法により内部を滅菌することにより滅菌包装される。
【００１８】
パッド２は、脳神経外科手術などの外科手術の際に、生理食塩水を浸して使用し、体組織の損傷を防ぐ保護用シートであり、不織布が複数枚積層された医療用ガーゼからなる。なお、パッド２は、吸水性の高いものであることが好ましく、止血、血液などの体液の拭取り、及び臓器の圧排などに使用することもできる。
【００１９】
また、パッド２は医療用ガーゼに限られず、体組織に損傷を与え難いものであれば何であってもよく、ある程度柔軟性を有することが望ましいので、例えば綿などの天然素材、レーヨンなどの再生繊維、化学繊維、及びスポンジでもよい。パッド２の形状は、例えば平面視したときに、幅５ｍｍ〜３０ｍｍ×長さ５ｍｍ〜６０ｍｍの長方形である。
【００２０】
またパッド２に、Ｘ線造影糸（図示せず）やＩＣタグ（図示せず）などの外部の感知装置により遠隔的に感知される被感知物を含ませてもよい。ここでＸ線造影糸は、Ｘ線を透過しにくい硫酸バリウムなどを含んだ化学繊維であり、ＩＣタグはＩＣタグリーダーによって読取り可能な電波を受けて働く極小の電子装置である。
【００２１】
Ｘ線造影糸やＩＣタグなどを用いれば、手術終了後であっても体外からパッド２を感知することができる。例えばミシンにて縫製する際に、ミシン糸の上糸及び下糸の少なくとも一方にＸ線造影糸を使用することで、Ｘ線造影糸を取り付ける為の専用の作業を行う必要がなく、製造コストが抑えられる。
【００２２】
引出糸３は、パッド２を患者の体内から安全確実に取り出すためにパッド２に取り付けられた、丈夫で柔軟性に優れた繊維である。引出糸３の直径は０．２〜２ｍｍ、長さは５〜２０ｃｍである。
【００２３】
台紙４は、保管中や搬送中に引出糸３が傷んだり絡まったりしないように、引出糸３を巻き付けてパッド２を保持するための梱包材であり、厚紙やボール紙などの紙製のものが一般的であるが、引出糸３を巻き付けても変形しない程度の剛性を有していればいかなる材質のものであってもよい。
【００２４】
台紙４は、パッド設置場所５、第１遊挿部７、第２遊挿部８及び方向転換部９を有する。
パッド設置場所５は、パッド２が置かれる台紙４上の領域である。パッド設置場所５には、パッド２の位置決めを行う突起６を有することが好ましい。突起６は、パッド２への引出糸３の取り付け位置Ｘの両脇を、台紙に切り込みを入れて台紙の一部を折り曲げて起こし主面より突出させるなどの細工により形成することができる。
【００２５】
第１遊挿部７及び第２遊挿部８は、引出糸３を遊挿させるだけの広さを持つ孔である。
引出糸３が、台紙４に設けられた１個以上の遊挿部に、のべ２回以上遊挿されることにより、パッド２が台紙４に保持される。例えば、引出糸３が、第１遊挿部７に１回以上遊挿され、且つ第２遊挿部８に１回以上遊挿されることが好ましい。
【００２６】
これにより、少なくとも台紙４に開いた２個の遊挿部に１回ずつ引出糸を遊挿することができ、パッド２をきつ過ぎず緩過ぎず、適度な拘束状態で台紙４に保持させることができる。
【００２７】
詳しくは図１中の一点鎖線Ｚ−Ｚ断面図である図２に示すように、引出糸３が、パッド２への取り付け位置Ｘから出発して、第１遊挿部７を挿通することにより、台紙４の一方の面Ａ側から、他方の面Ｂ側へ抜けており、第１遊挿部７を挿通した引出糸３が、第２遊挿部８を挿通することにより、他方の面Ｂ側から、一方の面Ａ側へ抜けている。
【００２８】
なお、引出糸３が第１遊挿部７を挿通する前後、及び第２遊挿部８を挿通する前後において、引出糸３の進行方向の変動許容角が９０度以下であることが好ましい。これにより、第１遊挿部７及び第２遊挿部８を挿通する際に引出糸に癖が付き難くなる。ここで変動許容角とは、引出糸３が直進したときの軌道と、実際の引出糸３の軌道との成す三次元座標系における角度（以下、「変動角」という）の許容値であり、例えば変動角が９０度の場合には、引出糸３の進行方向が直角に曲がるということである。
【００２９】
また、図２に示すように、パッド２への取り付け位置Ｘから方向転換部９までの、引出糸３の長さが５ｃｍ以上であることが好ましい。図２では、パッド２への取り付け位置Ｘから方向転換部９までの直線距離を５ｃｍとしており、引出糸３は第１遊挿部７及び第２遊挿部８を挿通する際に進行方向が曲がるため、必然的に引出糸３の長さが５ｃｍ以上となる。
【００３０】
これにより、パッド２への取り付け位置Ｘから５ｃｍの長さまでの間の引出糸３に癖がほとんど付かないので、手術中に患部近くの術野に入り得ると想定される５ｃｍ以内の引出糸が嵩張って場所をとることがなくなり、特に施術の邪魔になり難くなる。
【００３１】
方向転換部９は、台紙４の外縁の一部に設けられ、引出糸３が、台紙４の一方の面Ａ側から他方の面Ｂ側へ折り返されて方向転換されている。なお、方向転換部９において、台紙４の外縁の一部にＵ字型などの溝が設けられていることが好ましい。
【００３２】
また、パッド２への取り付け位置Ｘから方向転換部９までの長さが、２０ｃｍ以下、あるいは引出糸３の全長以下であることが好ましい。これにより、台紙４を無駄に大きくすることなく、パッド２への取り付け位置Ｘから２０ｃｍの長さまでの間、あるいは引出糸３の全長にわたり引出糸３に癖がほとんど付かないように、保管や搬送を行うことができる。
【００３３】
なお、変形例１のＺ−Ｚ断面図に相当する図３に示すように、第１遊挿部７又は第２遊挿部８のいずれか一方に２回以上引出糸３を遊挿することにより、他の遊挿部に引出糸３を遊挿しなくても、パッド２を台紙４に保持させることができる。このような場合には、台紙４は、遊挿部を１個有するだけでよく、図３では第１遊挿部７のみを設けている。
【００３４】
また、変形例２のＺ−Ｚ断面図に相当する図４に示すように、方向転換部９又は方向転換部９を含む台紙４の一辺において、台紙４が折り曲げられて２枚以上重ねられていることが好ましい。これにより、簡単な構造で、方向転換部９における厚さを台紙４の２倍以上にすることができ、方向転換部９における引出糸３の癖が一層付き難くなる。
【００３５】
また、変形例３のＺ−Ｚ断面図に相当する図５に示すように、方向転換部９又は方向転換部９を含む台紙４の一辺に、台紙４よりも分厚い部材１０が取り付けられていることが好ましい。これにより、方向転換部９における台紙４の厚さを台紙４よりも分厚くすることができ、方向転換部９において引出糸３に癖が付き難くなる。
【００３６】
また、変形例４の概略図である図６に示すように、第１遊挿部７は、引出糸３を遊挿させるだけの広さを持つ空間である遊挿空間部７ａと、台紙４の外縁から遊挿空間部７ａまで続く、引出糸引込み案内用の切れ目又は隙間であるスリット部７ｂとを有することが好ましい。
【００３７】
これにより、製造時において、スリット部７ｂを利用することで、引出糸３を第１遊挿部７に容易に遊挿させることができる。またスリット部７ｂは台紙４の外縁側にＶ状の切り欠き７ｃを有することが好ましい。これにより、製造時において、引出糸３をスリット部７ｂに引っ掛け易くなる。
【００３８】
同様に、第２遊挿部８は、引出糸３を遊挿させるだけの広さを持つ空間である遊挿空間部８ａと、台紙４の外縁から遊挿空間部８ａまで続く、引出糸引込み案内用の切れ目又は隙間であるスリット部８ｂとを有することが好ましい。
【００３９】
これにより、製造時において、スリット部８ｂを利用することで、引出糸３を第２遊挿部８に容易に遊挿させることができる。またスリット部８ｂは台紙４の外縁側にＶ状の切り欠き８ｃを有することが好ましい。これにより、製造時において、引出糸３をスリット部８ｂに引っ掛け易くなる。
【００４０】
遊挿空間部７ａ、８ａの形状は、引出糸３を遊挿させるだけの広さがあれば如何なる形状であってもよいので、円形の限られず、例えば楕円形、半円形、多角形、星型などであってもよい。スリット部７ｂ、８ｂの形状は、引出糸３の引込みが容易であれば如何なる形状であってもよいので、例えば隙間の幅を遊挿空間部７ａ、８ａの直径と同程度にすることにより、第１遊挿部７及び第２遊挿部８の形状を、引出糸を遊挿させるだけの広さを持ち台紙４の外縁から続く長穴形状のスリットとすることもできる。
なお、特に矛盾が生じない限り、各変形例は適宜組み合わせることができる。
【００４１】
以上のように、本発明に係る手術用パッド組み付け体１によれば、台紙４に開いた１個の遊挿部に引出糸を２回以上遊挿するか、あるいは台紙４に開いた２個以上の遊挿部に引出糸３を遊挿するだけで、パッド２を台紙４に保持することができるため、従来よりも引出糸３に癖が付き難く、パッド２を持って引っ張るだけで台紙４から素早く容易に取外すことができる。
【実施例】
【００４２】
以下、実施例に基づいて本発明を詳細に述べる。ただし、下記実施例は本発明を制限するものではなく、前・後記の趣旨を逸脱しない範囲で変更実施をすることは、全て本発明の技術的範囲に包含される。
実施例及び比較例の実施結果を表１に示す。また詳細な測定データを表２に示す。
【００４３】
【表１】
2015077201.tif 000003
【００４４】
【表２】
2015077201.tif 000004
【００４５】
実施例１〜４は本発明の第１形状の台紙及び第１の取り付け方法を用い、引出糸の材質のみを変更して、吸収体の端部（図６中のパッド２への引出糸３の取り付け位置Ｘに相当)からの折癖位置、折癖回数、台紙へのパッドの取付け時間、及び台紙からのパッドの取出し時間を測定したものである。なお、台紙へのパッドの取付け時間、及び台紙からのパッドの取出し時間はストップウォッチを用いて繰り返し５回測定し、その平均値を算出した。
【００４６】
比較例１〜４は市販の第２形状の台紙及び第２の取り付け方法を用い、引出糸の材質のみを変更して、実施例１〜４と同等の測定を行ったものである。
比較例５〜８は市販の第３形状の台紙及び第３の取り付け方法を用い、引出糸の材質のみを変更して、実施例１〜４と同等の測定を行ったものである。
比較例９〜１２は市販の第４形状の台紙及び第４の取り付け方法を用い、引出糸の材質のみを変更して、実施例１〜４と同等の測定を行ったものである。
各実施例及び各比較例の個別の実施条件等については以下の通り。
【００４７】
（実施例１）
実施例１の台紙の形状（第１形状）の及び台紙への取り付け方法（第１方法）は、図６に示す本発明の変形例４と同等である。
実施例１の引出糸の主要材料は、ＰＰ（ポリプロピレン）である。
表１に示すように、実施例１では、吸収体の端部（図２中のパッド２への引出糸３の取り付け位置Ｘに相当)からの折癖位置がおよそ５０ｍｍであったので良好な結果が得られており、折癖回数は１回であり少なかった。また、実施例１では、台紙へのパッドの取付け時間は１６．５ｓｅｃ、台紙からのパッドの取出し時間は３．０ｓｅｃであり、ともに比較的良好な結果が得られた。
【００４８】
（実施例２）
実施例２の台紙の形状及び台紙への取り付け方法は、実施例１と同じである。
実施例２の引出糸の主要材料は、Ｎｙ（ナイロン）である。
表１に示すように、実施例２では、吸収体の端部からの折癖位置がおよそ５０ｍｍであったので良好な結果が得られており、折癖回数は１回であり少なかった。また、実施例２では、台紙へのパッドの取付け時間は１６．５ｓｅｃ、台紙からのパッドの取出し時間は３．１ｓｅｃであり、ともに比較的良好であった。
【００４９】
（実施例３）
実施例３の台紙の形状及び台紙への取り付け方法は、実施例１と同じである。
実施例３の引出糸の主要材料は、ＰＥＴ（ポリエステル）である。
表１に示すように、実施例３では、吸収体の端部からの折癖位置がおよそ５０ｍｍであったので良好な結果が得られており、折癖回数は１回であり少なかった。また実施例３では、台紙へのパッドの取付け時間は１６．９ｓｅｃ、台紙からのパッドの取出し時間は３．２ｓｅｃであり、ともに比較的良好であった。
【００５０】
（実施例４）
実施例４の台紙の形状及び台紙への取り付け方法は、実施例１と同じ。
実施例４の引出糸の主要材料は、絹である。
表１に示すように、実施例４では、吸収体の端部からの折癖位置がおよそ５０ｍｍであったので良好な結果が得られており、折癖回数は１回であり少なかった。また実施例４では、台紙へのパッドの取付け時間は１６．７ｓｅｃ、台紙からのパッドの取出し時間は２．８ｓｅｃであり、ともに比較的良好であった。
【００５１】
（比較例１）
比較例１の台紙の形状（第２形状）は、略長方形であって、一方の長辺に第１切込と第２切込を有し、他方の長辺にＵ字型の第１Ｕ溝と第２Ｕ溝を有し、一方の短辺に第３切込を有し、他方の短辺に第４切込を有するものである。
【００５２】
比較例１の台紙への取り付け方法（第２方法）は、引出糸付のパッドを５個一組とし、第１組の５本の引出糸を第１切込に引っ掛けて固定し、第２組の５本の引出糸を第２切込に引っ掛けて固定し、その後、第１組と第２組の引出糸をまとめ、１０本の引出糸を第１Ｕ溝と第２Ｕ溝にて方向転換した後、第３切込に引っ掛けて固定し、さらに第４切込に引っ掛けて固定するものである。
比較例１の引出糸の主要材料は、ＰＰ（ポリプロピレン）である。
【００５３】
表１に示すように、比較例１では、吸収体の端部からの折癖位置がおよそ２ｍｍであったので好ましくない結果が得られており、折癖回数は４回であり多かった。また、比較例１では、台紙へのパッドの取付け時間は３８．５ｓｅｃ、台紙からのパッドの取出し時間は１４．５ｓｅｃであり、ともに良好ではなかった。
【００５４】
（比較例２）
比較例２の台紙の形状及び台紙への取り付け方法は、比較例１と同じである。
比較例２の引出糸の主要材料は、Ｎｙ（ナイロン）である。
表１に示すように、比較例２では、吸収体の端部からの折癖位置がおよそ２ｍｍであったので好ましくない結果が得られており、折癖回数は４回であり多かった。また、比較例２では、台紙へのパッドの取付け時間は３７．６ｓｅｃ、台紙からのパッドの取出し時間は１４．４ｓｅｃであり、ともに良好ではなかった。
【００５５】
（比較例３）
比較例３の台紙の形状及び台紙への取り付け方法は、比較例１と同じである。
比較例３の引出糸の主要材料は、ＰＥＴ（ポリエステル）である。
表１に示すように、比較例３では、吸収体の端部からの折癖位置がおよそ２ｍｍであったので好ましくない結果が得られており、折癖回数は４回であり多かった。また、比較例３では、台紙へのパッドの取付け時間は３８．４ｓｅｃ、台紙からのパッドの取出し時間は１４．６ｓｅｃであり、ともに良好ではなかった。
【００５６】
（比較例４）
比較例４の台紙の形状及び台紙への取り付け方法は、比較例１と同じである。
比較例４の引出糸の主要材料は、絹である。
表１に示すように、比較例４では、吸収体の端部からの折癖位置がおよそ２ｍｍであったので好ましくない結果が得られており、折癖回数は４回であり多かった。また、比較例４では、台紙へのパッドの取付け時間は３８．２ｓｅｃ、台紙からのパッドの取出し時間は１４．２ｓｅｃであり、ともに良好ではなかった。
【００５７】
（比較例５）
比較例５の台紙の形状（第３形状）は、略長方形であって、一方の短辺にＶ字型の第１〜第１０Ｖ溝を有し、一方の長辺に第１切込と第２切込を有し、他方の短辺と一方の長辺との角にＶ字型の第１１Ｖ溝と第１２Ｖ溝を有し、他方の短辺と他方の長辺との角にＶ字型の第１３Ｖ溝と第１４Ｖ溝を有するものである。
【００５８】
比較例５の台紙への取り付け方法（第３方法）は、引出糸付の第１〜第１０パッドの引出糸をそれぞれ第１〜第１０Ｖ溝に引っ掛けて方向転換し、その後、第１〜第１０パッドの引出糸をまとめ、１０本の引出糸を第１切込と第２切込に引っ掛けて固定した後、第１１Ｖ溝、第１２Ｖ溝、第１３Ｖ溝、第１４Ｖ溝にて方向転換するものである。
比較例５の引出糸の主要材料は、ＰＰ（ポリプロピレン）である。
【００５９】
表１に示すように、比較例５では、吸収体の端部からの折癖位置がおよそ２８ｍｍであったので中庸の結果が得られており、折癖回数は４回であり多かった。また、比較例５では、台紙へのパッドの取付け時間は８８．４ｓｅｃ、台紙からのパッドの取出し時間は１０．６ｓｅｃであり、ともに良好ではなかった。
【００６０】
（比較例６）
比較例６の台紙の形状及び台紙への取り付け方法は、比較例５と同じである。
比較例６の引出糸の主要材料は、Ｎｙ（ナイロン）である。
表１に示すように、比較例６では、吸収体の端部からの折癖位置がおよそ２８ｍｍであったので中庸の結果が得られており、折癖回数は４回と多かった。また、比較例６では、台紙へのパッドの取付け時間は８９．６ｓｅｃ、台紙からのパッドの取出し時間は１０．６ｓｅｃであり、ともに良好ではなかった。
【００６１】
（比較例７）
比較例７の台紙の形状及び台紙への取り付け方法は、比較例５と同じである。
比較例７の引出糸の主要材料は、ＰＥＴ（ポリエステル）である。
表１に示すように、比較例７では、吸収体の端部からの折癖位置がおよそ２８ｍｍであったので中庸の結果が得られており、折癖回数は４回と多かった。また、比較例７では、台紙へのパッドの取付け時間は８９．５ｓｅｃ、台紙からのパッドの取出し時間は１０．３ｓｅｃであり、ともに良好ではなかった。
【００６２】
（比較例８）
比較例８の台紙の形状及び台紙への取り付け方法は、比較例５と同じである。
比較例８の引出糸の主要材料は、絹である。
表１に示すように、比較例８では、吸収体の端部からの折癖位置がおよそ２８ｍｍであったので中庸の結果が得られており、折癖回数は４回と多かった。また、比較例８では、台紙へのパッドの取付け時間は８９．７ｓｅｃ、台紙からのパッドの取出し時間は１０．６ｓｅｃであり、ともに良好ではなかった。
【００６３】
（比較例９）
比較例９の台紙の形状（第４形状）は、略長方形であって、台紙の主面に半円周形の第１切れ目と第２切れ目を有し、一方の長辺に第１切込と第２切込とコの字型の第１〜第１０角溝を有するものである。
【００６４】
比較例９の台紙への取り付け方法（第４方法）は、引出糸付の第１〜第１０パッドの引出糸をまとめ、１０本の引出糸を第１切れ目と第２切れ目に引っ掛けて方向転換した後、１０本の引出糸をばらばらにしてそれぞれ第１〜第１０角溝に引っ掛けて方向転換し、１０本の引出糸をまとめて第１切れ目と第２切れ目に引っ掛けて固定するものである。
比較例９の引出糸の主要材料は、ＰＰ（ポリプロピレン）である。
【００６５】
表１に示すように、比較例９では、吸収体の端部からの折癖位置がおよそ８ｍｍであったので好ましくない結果が得られており、折癖回数は５回と多かった。また、比較例９では、台紙へのパッドの取付け時間は７４．６ｓｅｃ、台紙からのパッドの取出し時間は１１．６ｓｅｃであり、ともに良好ではなかった。
【００６６】
（比較例１０）
比較例１０の台紙の形状及び台紙への取り付け方法は、比較例９と同じである。
比較例１０の引出糸の主要材料は、Ｎｙ（ナイロン）である。
表１に示すように、比較例１０では、吸収体の端部からの折癖位置がおよそ８ｍｍであったので好ましくない結果が得られており、折癖回数は５回と多かった。また、比較例１０では、台紙へのパッドの取付け時間は７３．５ｓｅｃ、台紙からのパッドの取出し時間は１１．１ｓｅｃであり、ともに良好ではなかった。
【００６７】
（比較例１１）
比較例１１の台紙の形状及び台紙への取り付け方法は、比較例９と同じである。
比較例１１の引出糸の主要材料は、ＰＥＴ（ポリエステル）である。
表１に示すように、比較例１１では、吸収体の端部からの折癖位置がおよそ８ｍｍであったので好ましくない結果が得られており、折癖回数は５回と多かった。また、比較例１１では、台紙へのパッドの取付け時間は７４．４ｓｅｃ、台紙からのパッドの取出し時間は１１．１ｓｅｃであり、ともに良好ではなかった。
【００６８】
（比較例１２）
比較例１２の台紙の形状及び台紙への取り付け方法は、比較例９と同じである。
比較例１２の引出糸の主要材料は、絹である。
表１に示すように、比較例１２では、吸収体の端部からの折癖位置がおよそ８ｍｍであったので好ましくない結果が得られており、折癖回数は５回と多かった。また、比較例１２では、台紙へのパッドの取付け時間は７２．９ｓｅｃ、台紙からのパッドの取出し時間は１１．４ｓｅｃであり、ともに良好ではなかった。
【符号の説明】
【００６９】
１    手術用パッド組み付け体
２    パッド
３    引出糸
４    台紙
５    パッド設置場所
６    突起
７    第１遊挿部
７ａ  遊挿空間部
７ｂ  スリット部
８    第２遊挿部
８ａ  遊挿空間部
８ｂ  スリット部
９    方向転換部
１０    部材
【図２】
2015077201.tif 000005
【図３】
2015077201.tif 000006
【図４】
2015077201.tif 000007
【図５】
2015077201.tif 000008
【図１】
2015077201.tif 000009
【図６】
2015077201.tif 000010